(57)【特許請求の範囲】
【請求項１】
流動制御装置のための弁ケージであって、
少なくとも１つの円筒内面および少なくとも１つの円筒外面を有する中空円筒体と、
前記中空円筒体の騒音軽減区分であって、前記円筒内面または前記円筒外面に形成された複数の入口開口部と、前記円筒内面および前記円筒外面のうちの他方に形成された複数の出口開口部と、前記入口開口部と出口開口部との間に延在する複数の蛇行流路とを含む、騒音軽減区分と、
前記騒音軽減区分に軸方向に隣接して配置された前記中空円筒体の高容積流区分であって、第１の軸端、第２の軸端、および前記高容積流区分を中心として円周方向にかつ前記第１の軸端と前記第２の軸端との間に離間した複数の一次流開口部を備える、高容積流区分と、
前記騒音軽減区分と前記高容積流区分の前記第２の軸端との間の境界面で画定される前記中空円筒体の移行区分であって、前記移行区分が、前記円筒外面と前記円筒内面との間に半径方向に延在する複数の移行開口部を含み、流動制御装置内に実装される時に、前記移行区分が、弁ケージに、前記騒音軽減区分と高容積流区分との間の不感帯を提供しないように、それぞれの移行開口部が前記高容積流区分の前記第２の軸端に凹部を含む、移行区分と、を備え、
前記移行開口部が、前記中空円筒体の前記軸方向で前記一次流開口部のうちの少なくともいくつかと重なる、
流動制御装置のための弁ケージ。
【請求項２】
前記一次流開口部が円形開口部であり、前記移行開口部が円形開口部の部分である、請求項１に記載の弁ケージ。
【請求項３】
前記一次流開口部が細長いスロットであり、前記移行開口部が細長いスロットの部分である、請求項１または２に記載の弁ケージ。
【請求項４】
前記細長いスロットおよび前記細長いスロットの部分が、前記中空円筒体の軸方向に延在する長手寸法を有する、請求項３に記載の弁ケージ。
【請求項５】
前記騒音軽減区分を前記高容積流区分に連結する１つ以上の締結具をさらに備える、請求項１から４のいずれか１項に記載の弁ケージ。
【請求項６】
前記締結具のそれぞれが、前記騒音軽減区分を介して軸方向に延在し、前記高容積流区分を螺合係合する、請求項５に記載の弁ケージ。
【請求項７】
前記騒音軽減区分が、前記入口開口部、前記出口開口部、および前記蛇行流路を集合的に画定する複数の積層ディスクを備える、請求項１から６のいずれか１項に記載の弁ケージ。
【請求項８】
前記騒音軽減区分が、およそ１０％、およそ２０％、およそ３０％、およそ４０％、およそ５０％、およそ６０％、およそ７０％、およそ８０％、およびおよそ９０％から成る群から選択される、前記中空円筒体の軸方向の全長の所定のパーセントを含む、請求項１から７のいずれか１項に記載の弁ケージ。
【請求項９】
前記騒音軽減区分が、前記中空円筒体の全長のおよそ６０％を含む、請求項１から８のいずれか１項に記載の弁ケージ。
【請求項１０】
流動制御装置であって、
入口、出口、および前記入口と前記出口との間に配置されたギャラリーを画定する、弁本体と、
前記ギャラリー内に載置された弁ケージと、
前記弁本体を介する流体の流れを制御するために前記弁ケージ内に摺動可能に配置された、制御部材と、を備え、
前記弁ケージが、
少なくとも１つの円筒内面および少なくとも１つの円筒外面を有する中空円筒体と、
前記中空円筒体の騒音軽減区分であって、前記円筒内面または前記円筒外面に形成された複数の入口開口部と、前記円筒内面および前記円筒外面のうちの他方に形成された複数の出口開口部と、前記入口開口部と出口開口部との間に延在する複数の蛇行流路とを含む、騒音軽減区分と、
前記騒音軽減区分に軸方向に隣接して配置された前記中空円筒体の高容積流区分であって、第１の軸端、第２の軸端、および前記高容積流区分を中心として円周方向にかつ前記第１の軸端と第２の軸端との間に離間した複数の一次流開口部を備える、高容積流区分と、
前記騒音軽減区分と前記高容積流区分の前記第２の軸端との間の境界面で画定される前記中空円筒体の移行区分であって、前記移行区分が、前記円筒外面から前記円筒内面まで半径方向に延在する複数の移行開口部を含み、流動制御装置内に実装される時に、前記移行区分が、弁ケージに、前記騒音軽減区分と高容積流区分との間の不感帯を提供しないように、それぞれの移行開口部が前記高容積流区分の前記第２の軸端に凹部を含む、移行区分と、を備え、
前記移行開口部が、前記中空円筒体の前記軸方向で前記一次流開口部のうちの少なくともいくつかと重なる、
流動制御装置。
【請求項１１】
前記一次流開口部が円形開口部であり、前記移行開口部が円形開口部の部分である、請求項１０に記載の装置。
【請求項１２】
前記一次流開口部が細長いスロットであり、前記移行開口部が細長いスロットの部分である、請求項１０または１１に記載の装置。
【請求項１３】
前記細長いスロットおよび前記細長いスロットの部分が、前記中空円筒体の軸方向に延在する長手寸法を有する、請求項１２に記載の装置。
【請求項１４】
前記騒音軽減区分を前記高容積流区分に連結する１つ以上の締結具をさらに備える、請求項１０から１３のいずれか１項に記載の装置。
【請求項１５】
前記締結具のそれぞれが、前記騒音軽減区分を介して軸方向に延在し、前記高容積流区分を螺合係合する、請求項１４に記載の装置。
【請求項１６】
前記騒音軽減区分が、前記入口開口部、前記出口開口部、および前記蛇行流路を集合的に画定する複数の積層ディスクを備える、請求項１０から１５のいずれか１項に記載の装置。
【請求項１７】
前記騒音軽減区分が、およそ１０％、およそ２０％、およそ３０％、およそ４０％、およそ５０％、およそ６０％、およそ７０％、およそ８０％、およびおよそ９０％から成る群から選択される、前記中空円筒体の軸方向の全長の所定のパーセントを含む、請求項１０から１６のいずれか１項に記載の装置。
【請求項１８】
前記騒音軽減区分が、前記中空円筒体の全長のおよそ６０％を含む、請求項１０から１７のいずれか１項に記載の装置。
【請求項１９】
前記弁本体が上向流構成に配設される、請求項１０から１８のいずれか１項に記載の装置。
【請求項２０】
前記弁本体が下向流構成に配設される、請求項１０から１９のいずれか１項に記載の装置。
【請求項２１】
流動制御装置であって、
入口、出口、および前記入口と前記出口との間に配置されたギャラリーを画定する、弁本体と、
前記ギャラリー内に載置された弁ケージと、
前記弁ケージの端に隣接して前記弁本体内に載置されたシートリングと、
前記弁ケージ内に摺動可能に配置された制御部材であって、前記シートリングを封止係合する閉位置と、前記シートリングから離間された全開位置との間の変位のために適合されている、制御部材と、を備え、
前記弁ケージが、前記シートリングに隣接して配置された騒音軽減区分と、前記シートリングからの前記騒音軽減区分の反対に配置され、複数の一次流開口部を含む高容積流区分と、前記閉位置と前記全開位置との間の前記制御部材の移動の全範囲を通して連続的に変化する流容積を確実にする手段と、を含み、前記手段が、前記弁ケージの前記騒音軽減区分と前記高容積流区分との間の境界面に配置された連続的に変化する流容積を確実にし、複数の移行開口部を含み、
前記移行開口部が、中空円筒体で前記一次流開口部のうちの少なくともいくつかと重なる、
流動制御装置。
【発明の詳細な説明】
【技術分野】
【０００１】
本開示は、摺動ステム流動制御装置に関し、より具体的には、摺動ステム流動制御装置のためのトリム部品に関する。
【背景技術】
【０００２】
プロセス制御産業において、多くのプロセス用途が、容認できないレベルの騒音を生じ得る。制御弁用途では、ケージ等の弁トリムは、様々な過酷な動作条件に遭遇し得る。例えば、液化天然ガス（ＬＮＧ）供給用途では、大型の圧縮機を使用して、供給パイプライン中への投入の前に天然ガスを液相に加圧する。圧縮機の動作中、「サージ」として知られる潜在的に破壊的な条件が生じ得ることが知られている。圧縮機のサージ点は、概して、最小安定流における最大圧力が所与の圧縮機速度に対して達成され得る、動作点として定義される。
【０００３】
サージ点以下での圧縮機の動作は、圧縮機サージを生じさせ得る不安定動作を引き起こし得る。例えば、圧縮機システムを介するガス流が減少するときの通常動作では、流体圧力は増加して流れを維持するが、サージ点近くで、圧縮機は、圧縮機を介してガス流を継続するのに十分なガスの運動量を付与することができず、ガス流を一時的に停止させる。流れが停止するとき、入口圧力は降下し、出口圧力は入口圧力よりも大きくなり得、それが、圧縮機内で逆流を引き起こす（すなわち、ガスは、出口から入口まで一時的に流れる）。逆流は、十分な圧力ヘッドがタービン入口で発達してサージ条件を克服するまで、維持される。圧縮機動作がサージ点の近くで継続するならば、サージ条件は繰り返し、プロセス条件が変化するまで繰り返しの逆流を引き起こすことになる。圧縮機サージに関連した逆流は圧縮機推力反転を生成し得、それが不安定な軸方向および半径方向の振動を引き起こし得ることにより、圧縮機を損傷して高レベルの騒音を生成し得る。
【０００４】
圧縮機サージが生じて圧縮機を損傷するのを回避するために、耐サージシステムが圧縮機の周りに構築される。耐サージシステムが高容積耐サージ弁（すなわち、大流量および高圧力弁）を必要とすることが一般的に知られる。例えば、耐サージ弁は、２２インチポートを有し、５５０ｐｓｉ圧力差で動作し得る。当業者は、これらの流れ条件が高質量流量を生成し得、それが大乱流を生じて容認できないレベルの騒音を生成し得ることを理解できる。望まれない騒音および損傷振動を防止するために、耐サージ弁は、また、騒音減衰流体圧力低減装置（例えば、騒音軽減トリム部品）に依存する。Ｆｉｓｈｅｒ  Ｃｏｎｔｒｏｌｓ  Ｉｎｔｅｒｎａｔｉｏｎａｌ  ＬＬＣから入手可能なＷｈｉｓｐｅｒｆｌｏ（登録商標）トリム等の現在の騒音軽減トリム部品は、中空の中心と外周との間で複数の制限的通路を画定する多数の円環状板から形成された多段流体圧力低減設計を用いた弁ケージを含む。そのような装置は、低圧力、中圧力、および高圧力用途において最適な動作のために開発されてきた。
【０００５】
いくつかの用途では、積層ディスクアセンブリが、関連流動制御要素の移動の全範囲を通しての騒音軽減および流体圧力低減を提供するように、積層ディスクアセンブリから構成された弁ケージ全体を有することが有益である。しかし、他の用途では、騒音軽減は、移動の一部分を通して必要とされるだけである。これらの状況では、弁ケージの全体が積層ディスクから構成されるとき、積層ディスクアセンブリは、実際には、制御弁の潜在的全流容積を低減する。
【発明の概要】
【０００６】
本開示の一態様は、流動制御装置のための弁ケージを提供する。ケージは、概して、中
空円筒体と、騒音軽減区分と、高容積流区分と、移行区分とを備える。中空円筒体は、少なくとも１つの円筒内面および少なくとも１つの円筒外面を有する。騒音軽減区分は、円筒内面に形成された複数の入口開口部と、円筒外面に形成された複数の出口開口部と、入口開口部と出口開口部との間に延在する複数の蛇行流路とを有する。高容積流区分は、騒音軽減区分に軸方向に隣接して配置され、第１の軸端、第２の軸端、および高容積流区分を中心として円周方向にかつ第１の軸端と第２の軸端との間に離間した複数の一次流開口部を含む。最後に、移行区分は、騒音軽減区分と高容積流区分の第２の軸端との間の境界面で画定される。移行区分は、円筒外面と円筒内面との間に半径方向に延在する複数の移行開口部を含み、流動制御装置内に実装される時に、移行区分が、弁ケージに、騒音軽減と高容積流区分との間の不感帯を提供しないように、それぞれの移行開口部は高容積流区分の第２の軸端に凹部を含む。
【０００７】
本開示の別の態様は、弁本体と、弁ケージと、制御部材とを含む流動制御装置を提供する。弁本体は、入口、出口、および入口と出口との間に配置されたギャラリーを画定する。弁ケージはギャラリー内に載置される。制御部材は、弁本体を介する流体の流れを制御するために弁ケージ内に摺動可能に配置される。弁ケージは、概して、中空円筒体と、騒音軽減区分と、高容積流区分と、移行区分とを備える。中空円筒体は、少なくとも１つの円筒内面および少なくとも１つの円筒外面を有する。騒音軽減区分は、円筒内面に形成された複数の入口開口部と、円筒外面に形成された複数の出口開口部と、入口開口部と出口開口部との間に延在する複数の蛇行流路とを有する。高容積流区分は、騒音軽減区分に軸方向に隣接して配置され、第１の軸端、第２の軸端、および高容積流区分を中心として円周方向にかつ第１の軸端と第２の軸端との間に離間した複数の一次流開口部を含む。最後に、移行区分は、騒音軽減区分と高容積流区分の第２の軸端との間の境界面で画定される。移行区分は、円筒外面と円筒内面との間に半径方向に延在する複数の移行開口部を含み、流動制御装置内に実装される時に、移行区分が、弁ケージに、騒音軽減と高容積流区分との間の不感帯を提供しないように、それぞれの移行開口部は高容積流区分の第２の軸端に凹部を含む。
【０００８】
本開示のさらに別の態様は、弁本体と、弁ケージと、シートリングと、制御部材とを含む、流動制御装置を提供する。弁本体は、入口、出口、および入口と出口との間に配置されたギャラリーを画定する。弁ケージはギャラリー内に載置され、シートリングは弁ケージの端に隣接して弁本体内に載置される。制御部材は、弁ケージ内に摺動可能に配置され、シートリングを封止係合する閉位置と、シートリングから離間された全開位置との間の変位のために適合されている。弁ケージは、シートリングに隣接して配置された騒音軽減区分と、シートリングからの騒音軽減区分の反対に配置された高容積流区分と、閉位置と開位置との間の制御要素の移動の全範囲を通して連続的に変化する流容積を確実にする手段とを含む。連続的に変化する流容積を確実にするための手段は、弁ケージの騒音軽減区分と高容積流量区分との間の境界面に配置される。
【図面の簡単な説明】
【０００９】
【図１】本開示の原理に従って構成された流動制御装置の断面側面図である。
【図２】本開示の原理に従って構成された弁ケージの断面側面図である。
【図３】図２の弁ケージの１つの型の円筒外面の平面二次元図であり、概略的にその騒音軽減区分を図解する。
【図４】図２の弁ケージの別の型の円筒外面の平面二次元図であり、概略的にその騒音軽減区分を図解する。
【発明を実施するための形態】
【００１０】
図１は、本開示の原理に従って構成された流動制御装置（例えば、制御弁）１０を描写する。装置１０は、弁本体１２、トリムアセンブリ１４、覆い１６、および制御要素１８
を含む。弁本体１２は、入口２２、出口２０、および入口２２と出口２０との間に配置されたギャラリー２４を含む。図１では、例示の弁本体１２は上向流構成に配設されるが、下向流構成にも配設され得る。示されるように、トリムアセンブリ１４は、弁本体１２のギャラリー２４内に配置され、覆い１６によってその中に固定される。制御要素１８は、弁ステム２４および弁プラグ２６を含む。弁ステム２４は、弁作動装置（図示せず）に結合されるように覆い１６を介して延在して、弁プラグ２６は、トリムアセンブリ１４内に摺動可能に配置され、弁本体１２を介して流体の流れを制御するために可動である。開示された型では、弁プラグ２６は、弁プラグ２６を介して流動を促進して、それによって平衡が保たれた弁プラグを提供するためのスルーホール２８を含む。
【００１１】
図１に描写された装置１０のトリムアセンブリ１４は、リテーナ３０、弁ケージ３２、およびシートリング３４を含む。シートリング３４は、ギャラリー２４の底部で、弁本体１２の肩部分３６上に載置される。弁ケージ３２は、シートリング３４より上に配置され、リテーナ３０は弁ケージ３２より上に配置される。覆い１６は、弁本体１２内で、リテーナ３０、弁ケージ３２、およびシートリング３４を保持する。
【００１２】
図２を参照すると、本開示の弁ケージ３２は、少なくとも１つの円筒内面４２および少なくとも１つの円筒外面４４を有する中空円筒体４０を含む。その上、弁ケージ３２は、騒音軽減区分３６および高容積流区分３８を有する二部品アセンブリを含む。描写された型では、騒音軽減区分３６は、高容積流区分３８の下に位置付けられ、複数の締結具６４を用いてそれに連結される。具体的には、この型における複数の締結具６４は、シートリング３４内で開口部６６を通して、その上で、騒音軽減区分３６内で貫通孔６８を通して延在し、高容積流区分３８内で螺合開口部７０内に螺合される。これは１つの例に過ぎず、他の型はそれと異なって構成され得る。
【００１３】
現在開示された弁ケージ３２の騒音軽減区分３６は、複数の積層ディスク４６を含む。積層して組み立てられるとき、描写されるように、弁ケージ３２の騒音軽減区分３６が、筒状本体４０の円筒内面４２内に形成された複数の入口開口部５０、中空円筒体４０の円筒外面４４に形成された複数の出口開口部４８、および入口開口部５０と出口開口部４８との間に延在する複数の蛇行流路Ｐを含むように、積層ディスク４６は、概して、形が円環状で、傾斜がある。知られるように、入口開口部５０は、概して、弁ケージ３２の円筒内面４２と円筒外面４４との間で積層板によって形成された複数のプレナムチャンバ（図示せず）を経由して、出口開口部４８のうちの１つ以上と流体連通し得る。そのように構成されたので、流路Ｐは、蛇行しており、プレナムチャンバにおける圧力低下、その後、出口開口部４８における圧力上昇を生成するように設計され得、それによって、弁ケージ３２の騒音軽減区分３６を通過している流体に起因する騒音を低減する。騒音軽減区分３６の円筒内面４２における開口部５０は、「入口」開口部であるとして本明細書において記載され、円筒外面４４における開口部４８は、「出口」開口部であると記載され、これは、単に、弁１２の現在の型が上向流構成に配設されるものとして記載されているという理由からである。下向流構成に配設されるとき、開口部４８は「入口」開口部として機能を果たし得、開口部５０は「出口」開口部として機能を果たし得る。よって、「入口」および「出口」という用語は、任意の必要とされる動作構成を表さず、むしろ、様々な開口部の間で区別するように単に意図される。
【００１４】
図２に描写された弁ケージ３２の高容積流区分３８は、上述のように、騒音軽減区分３６より上に位置付けられ、第１の軸端５２と、第２の軸端５４と、複数の一次流開口部５６とを有する１つの筒状形を含む。第１の軸端５２は、例えば、図１に示されたトリムアセンブリ１４のリテーナ３０を受容するための肩表面７２、および平面円環状表面を含む終端表面７４を含む。第２の軸端５４は、後述するように、傾斜のある形を含む終端表面７６を含む。
【００１５】
一次流開口部５６は、高容積流区分３８を中心として円周方向に離間され、それぞれが第１の軸端５２と第２の軸端５４との間に位置付けられる。すなわち、一次流開口部５６のそれぞれは、弁ケージ３２の高容積流区分３８を構成する材料が完全にその境界となる。図３で二次元平面図で描写もされる図２に開示された型では、一次流開口部５６のそれぞれは、円筒外面４４から円筒内面４２まで弁ケージ３２の高容積流区分３８を通る細長いスロットを含む。細長い流れ開口部５６は、この型において、弁ケージ３２の軸方向の寸法に沿って長手方向に延在する。
【００１６】
図２および図３にも示されるように、弁ケージ３２の現在の型は、騒音軽減区分３６と高容積流区分３８の第２の軸端５４との間の境界面に配置された移行区分５８を含む。この型では、移行区分５８は、第２の軸端５４に隣接する弁ケージ３２の高容積流区分３８の部分を実際に含む。移行区分５８は、示されるように、高容積流区分３８を介して弁ケージ３２の円筒外面４４から円筒内面４２まで半径方向に延在する複数の移行開口部６０を含む。その上、それぞれの移行開口部６０は、高容積流区分３８の第２の軸端５４内に形成される凹部を含む。その別の方法では、この型の高容積流区分３８の第２の軸端５４の終端表面７６は、高容積流区分３８の第１の軸端５２における終端表面７４のように完全には平面ではないが、むしろ、それは、第２の軸端５４から第１の軸端５２に向かう高容積流区分３８の本体内に軸方向に延在する複数の切欠６２を含む。したがって、高容積流区分３８の第２の軸端５４の終端表面７６は、複数の平面部分７８（図３）を含み、それぞれが高容積流区分３８の周りに部分的に延在し、複数の内側に湾曲した部分８０（図３）によって分離され、それは、移行開口部６０または切欠６２を画定し、それによって傾斜のある終端表面７６を画定する。図２および３に描写された形式では、移行開口部６０または切欠６２は、高容積流区分３８に沿って軸方向に延在する細長いスロットの部分を構成する。
【００１７】
さらに図３を参照して、流体が、移行区分５８の軸方向の全寸法を通して円筒内面４２から円筒外面４４まで（または逆もまた同様）連通し得るように、弁ケージ３２の現在の型の一次流開口部５６および移行開口部６０は、配設かつ構成される。その別の方法で、弁ケージ３２の開示された型の移行区分５８は、不感帯、すなわち、ケージ３２の円周に完全にかつとぎれずに延在する材料の連続体を含まない。これは、移行開口部６０を含むことによって達成され、それらは、第１の軸端５２に向かって第２の軸端５４の終端表面７６から高容積区分３８内に、一次流開口部５６と並んでかつ重なって延在する。すなわち、描写された型では、移行開口部６０は、高容積流区分３８の中空円筒体の軸方向で、一次流開口部５６の少なくともいくつかと重なる。そのように構成されたので、移行区分５８または一次流開口部５６の領域内の高容積流区分３８による任意の垂直断面は、移行開口部６０のうちのすべて、一次流開口部５６のうちのいくつかまたはすべて、または移行開口部６０のいくつかの組み合わせおよび一次流開口部５６いくつかを通らなければならない。開口部５６、６０のこの重なるまたは交互配置された構成は、制御弁１２の制御要素１８が移行区分５８を進むとき、弁１０を流れる流体の流容積が連続的に調整される、すなわち、増加または減少されることを確実にする。
【００１８】
図２および図３の弁ケージは、細長いスロットおよび細長いスロットの部分をそれぞれ含む一次流開口部５６および移行流開口部６０を含むが、これは、高容積流区分３８の１つの例に過ぎない。図４は、弁ケージ３２の高容積流区分３８が、それぞれ円形開口部および部分円形開口部である、一次流開口部５６および移行流開口部６０を含む、別の例を描写する。これらの開口部５６、６０の形以外に、図４の弁ケージ３２の残りの特徴は、図２および図３の弁ケージと同じで、したがって、詳細のうちのすべてが繰り返される必要がない。弁ケージ３２が不感帯を含まないことを確実にするための１つの重要な特徴は、移行開口部６０が第２の軸端５４の終端表面７６から第１の軸端５２に向かって高容積
流区分４８内に軸方向に延在すること、また、それらが弁ケージ３２の軸方向で一次流開口部５６の少なくともいくつかと重なることである。図２および図３を参照して上で議論されたように、この構成は、制御弁１２の制御要素１８が移行区分５８を進むとき、弁１０を流れる流体の流容積が連続的に調整される、すなわち、増加または減少されることを確実にする。
【００１９】
上記を鑑みれば、本開示の弁ケージ３２は、騒音軽減区分３６と高容積流区分３８との間に継ぎ目のない移行区分５８を提供するように設計され、そこでは、制御要素１８の位置の微調整が、弁１０の全流容積の関連する調整という結果となる。例えば、制御要素１８が閉位置から開位置まで動くにつれ、弁１０を介する流動の容積は、概して、弁プラグ２６の移動量に比例して連続的に増加することになる。この連続調整性は、高度に正確でかつ予測可能な装置を提供する。これに基づいて、本明細書に記載の移行区分５８の任意の１つが、その同等物と同様に、閉位置と開位置との間の制御要素１８の移動の全範囲を通して連続的に変化する流容積を確実にするための手段であると考えられ得ることが理解されるべきである。
【００２０】
本明細書で議論された弁ケージ３２は、１つの騒音軽減区分３６および１つの高容積流区分３８を有するものとして開示されただけで、一方で、他の型は、任意の特定の目的を達成するように望まれるならば、区分の一方または両方のより多くを含み得る。例えば、別の型は、弁ケージ３２の軸方向の寸法に沿って織り交ぜられた騒音軽減および高容積流区分３６、３８のそれぞれのうちの２つ以上を有し得る。
【００２１】
上で明示的に議論されなかったが、弁ケージ３２の開示された型が、弁ケージ３２の軸方向の全長の所定のパーセントを構成する騒音軽減区分３６を含むことが図面から理解されるべきである。例えば、いくつかの型では、騒音軽減区分３６は、ケージ３２の軸方向の全長のおよそ６０％を構成し得る。他の型では、騒音軽減区分３６は、任意の所与の流動制御用途のための所望の目的を達成するために、およそ１０％、およそ２０％、およそ３０％、およそ４０％、およそ５０％、およそ７０％、およそ８０％、およそ９０％、または、概して、弁ケージ３２の軸方向の全長の任意の他のパーセントを構成し得る。
【００２２】
さらにその上、本明細書に記載の弁ケージの型は、騒音軽減区分３６を高容積流区分３８に固定する螺合締結具６４を含み、一方では、代替例の型は、溶接、接着剤、外部締付等のこれらの部品を連結するための他の手段を含み得る。１つの型では、高容積流区分３８および騒音軽減区分は、２つの区分が互いに螺合されるように、例えば、移行区分５８の領域で螺山を含み得る。しかし、螺合締結具６４の１つの利点は、移行開口部６０の有用性に影響を与えないことである。
【００２３】
弁ケージおよび弁ケージを有する制御弁のある代表的な型は、発明を図解する目的のために本明細書で説明されたが、開示された装置における様々な変更が、本発明の趣旨および範囲から逸脱することなく行われ得、それは次の特許請求の範囲によって定義され、上述の説明によって任意の方法で限定されないことが当業者にとって明らかになるだろう。
【図１】
0006352283.tif 000002
【図２】
0006352283.tif 000003
【図３】
0006352283.tif 000004
【図４】
0006352283.tif 000005